(57)【特許請求の範囲】
【請求項１】
映像及び音声を出力する視聴機器、外部スピーカから音声を出力する外部音声機器、並びに音声を再生する音声再生機器を備えた音声出力システムの制御方法であって、
（ａ）前記音声再生機器が、ユーザーの操作により開始される電源オンの処理に引き続き、前記視聴機器に対し、前記視聴機器の電源をオンにする電源オン要求信号を送信するステップと、
（ｂ）前記電源オン要求信号を受信した前記視聴機器が、前記電源オン要求信号に応じて前記視聴機器の電源をオンにする処理を実行し、その完了を前記音声再生機器に通知するステップと、
（ｃ）前記視聴装置の電源をオンにする処理の完了を通知された前記音声再生機器が、前記視聴機器に対し、前記音声再生機器に予め設定される音声出力モードに関する要求信号を送信するステップと、
（ｄ）前記視聴機器が、受信した前記要求信号に従って、前記外部音声機器に対し、当該外部音声機器に接続された外部スピーカから音声を出力できる状態にするか、もしくは前記外部スピーカを消音状態にするかを指示する指示信号を送信すると共に、前記視聴機器の内蔵スピーカの状態を前記外部スピーカの状態とは逆の状態に設定するステップ
を含むことを特徴とする音声出力システムの制御方法。
【請求項２】
前記音声再生機器がプレーヤである場合、前記音声出力モードに関する要求信号は、前記外部音声機器に接続された外部スピーカから音声を出力することを要求する信号であることを特徴とする請求項１に記載の音声出力システムの制御方法。
【請求項３】
前記音声再生機器がレコーダである場合、前記音声出力モードに関する要求信号は、前記視聴機器の内蔵スピーカから音声を出力することを要求する信号であることを特徴とする請求項１に記載の音声出力システムの制御方法。
【請求項４】
前記視聴機器が、前記外部音声機器に対し、前記外部スピーカから音声を出力できる状態にすることを指示する指示信号を送信し、
前記視聴機器は、前記外部音声機器から前記指示信号に対する応答信号が返信されなかった場合、前記視聴機器の内蔵スピーカより音声を出力することを特徴とする請求項２に記載の音声出力システムの制御方法。
【請求項５】
前記工程（ａ）で前記音声再生機器の電源オンの処理を開始させるユーザーの操作が、前記外部音声機器のリモコンに設けた再生キーで操作されることを特徴とする請求項１〜４のいずれかに記載の音声出力システムの制御方法。
【請求項６】
前記視聴機器は、前記外部音声機器に対し、前記音声を出力できる状態にするか否かの指示信号を送信するのに先立ち、前記外部音声機器の電源をオンにする指示信号を送信することを特徴とする請求項１〜５のいずれかに記載の音声出力システムの制御方法。
【請求項７】
映像及び音声を出力する視聴機器、外部スピーカから音声を出力する外部音声機器、音声を再生する音声再生機器、並びに前記各機器間を接続する通信回線を備えた音声出力システムであって、
（ａ）前記視聴機器は、少なくとも
音声を出力する内蔵スピーカと、
前記通信回線を介して外部からの音声信号を受信する第１の受信部と、
前記第１の受信部で受信した音声信号に必要な処理を施す第１の音声処理部と、
前記第１の音声処理部の出力を入力として前記内蔵スピーカを駆動する第１のスピーカ駆動部と、
前記第１の受信部及び第１のスピーカ駆動部を制御する第１の制御部とを備え、
（ｂ）前記外部音声機器は、少なくとも
前記通信回線を介して外部からの音声信号を受信する第２の受信部と、
前記第２の受信部で受信した音声信号に必要な処理を施す第２の音声処理部と、
前記第２の音声処理部の出力を入力として、前記外部スピーカを駆動する第２のスピーカ駆動部と、
前記第２の受信部及び第２のスピーカ駆動部を制御する第２の制御部とを備え、
（ｃ）前記音声再生機器は、少なくとも
記録メディアから音声信号を再生して必要な処理を施す第３の音声処理部と、
前記第３の音声処理部から出力された音声信号を、前記通信回線を介して外部に送信する送信部と、
前記第３の音声処理部及び送信部を制御するとともに、当該音声再生機器がプレーヤである場合とレコーダである場合とにそれぞれ対応した音声出力モードが予め設定されている第３の制御部とを備え、
前記第３の制御部は、ユーザーの操作により開始される前記音声再生機器の電源をオンにする処理に引き続き、前記視聴機器の前記第１の制御部に対して前記視聴装置の電源をオンにする電源オン要求信号を送信し、前記視聴機器から前記電源オン要求信号に応じて電源をオンにする処理を完了したことに関する信号を受信した後、前記視聴機器の前記第１の制御部に対し、前記予め設定されている音声出力モードに関する要求信号を送信し、
前記第１の制御部は、前記第３の制御部から受信した前記電源オン要求信号に応じて前記視聴装置の電源をオンにした後、その完了を知らせる信号を前記第３の制御部に送信し、引き続き受信した前記音声出力モードに関する要求信号に従って前記第２の制御部に対し、前記外部スピーカから音声を出力できる状態にするか、もしくは前記外部スピーカを消音状態にするかを指示する指示信号を送信すると共に、前記視聴機器の内蔵スピーカの状態を前記外部スピーカの状態とは逆の状態に設定するように制御することを特徴とする音声出力システム。
【請求項８】
前記音声再生機器がプレーヤである場合、前記第３の制御部は前記第１の制御部に対し、音声出力モードに関する要求信号として前記外部音声機器に接続された外部スピーカから音声を出力することを要求する信号を送信することを特徴とする請求項７に記載の音声出力システム。
【請求項９】
前記音声再生機器がレコーダである場合、前記第３の制御部は前記第１の制御部に対し、音声出力モードに関する要求信号として前記視聴機器の内蔵スピーカから音声を出力することを要求する信号を送信することを特徴とする請求項７に記載の音声出力システム。
【請求項１０】
前記通信回線としてHigh Definition Multimedia Interface（ＨＤＭＩ）規格に準拠したケーブルを用い、また前記要求信号及び指示信号はConsumer Electronics Control（ＣＥＣ）規格に準拠した信号であることを特徴とする請求項７〜９のいずれかに記載の音声出力システム。
【請求項１１】
外部スピーカから音声を出力する外部音声機器、及び音声を再生する音声再生機器と共に音声出力システムを構成し、映像及び音声を出力する視聴機器であって、
（ａ）少なくとも
音声を出力する内蔵スピーカと、
通信回線を介して外部からの音声信号を受信する受信部と、
前記受信部で受信した音声信号に必要な処理を施す音声処理部と、
前記音声処理部の出力を入力として前記内蔵スピーカを駆動するスピーカ駆動部と、
前記受信部及びスピーカ駆動部を制御する制御部とを備え、
（ｂ）前記制御部は、前記音声再生機器から受信した、当該視聴機器の電源をオンにする電源オン要求信号に応じて当該視聴装置の電源をオンにする処理を実行した後、前記電源をオンにする処理を完了したことを前記音声再生機器に知らせる信号を送信し、引き続き前記音声再生機器から受信した音声出力モードに関する要求信号に従って前記外部音声機器に対し、前記外部スピーカから音声を出力できる状態にするか、もしくは前記外部スピーカを消音状態にするかを指示する指示信号を送信すると共に、前記内蔵スピーカの状態を前記外部スピーカの状態とは逆の状態に設定するように前記スピーカ駆動部を制御することを特徴とする視聴機器。
【発明の詳細な説明】
【技術分野】
【０００１】
本発明は、映像及び音声を再生する視聴機器、外部機器からの音声信号を接続された外部スピーカへ出力する外部音声機器、並びに音声を再生する音声再生機器を備えた音声出力システム及びその制御方法に関するものである。
【背景技術】
【０００２】
従来、テレビジョン受像機（以下、ＴＶと略す）等の視聴機器と、ＡＶアンプ及びＡＶアンプに接続された外部スピーカと、ＤＶＤプレーヤやレコーダ等を接続した音声出力システムにおいて、音声をＴＶから出力する場合と、ＡＶアンプに接続された外部スピーカから音声を出力する場合は、ユーザーがそれぞれの機器のボリュームや入出力経路を切り替えなければならず、操作が複雑であった。
【０００３】
これらの問題を解決する方法として、特許文献１に記載されたように、個々の機器同士に制御指示を伝えるための通信ラインを設け、個々の機器同士を認識させると共に、それぞれの機器の持つ機能を制御するコマンドを送信することで制御する方法が提案されている。
【特許文献１】特許第３３８２１１８号公報
【発明の開示】
【発明が解決しようとする課題】
【０００４】
しかしながら、上記従来の方法では、接続出来る機器はあらかじめ決められた機器同士となり、また全ての機器の組み合わせが考慮された制御プログラムが必要となるため、制御プログラムが複雑になり、また接続する機器の動作も決まったものとなり、汎用性がないものとなっていた。
【０００５】
例えば、ＴＶとＡＶアンプとＤＶＤプレーヤを接続している場合は、電源を入れた時に、ＤＶＤに記録された映画などを見る場合が多いので、ＴＶのスピーカは消音し、ＡＶアンプに接続されたスピーカから音を出す仕様とする。その一方、ＴＶとＡＶアンプとレコーダを接続している場合は、電源を入れた時、録画したＴＶ放送を見る場合が多いので、ＴＶのスピーカから音声を出し、ＡＶアンプに接続されたスピーカからは音を出さないようにする仕様とする。また、ＡＶアンプは必ず接続されているとは限らないので、その場合は、ＴＶのスピーカから音を出す仕様が必要である。
【０００６】
これらの仕様を満たすためには、接続される機器の種類及び、接続されているか否かも考慮した制御プログラムが必要となり、この制御プログラムが予めシステムに組み込まれていなければ、これらの動作を実現することができない。しかし、このような制御プログラムは、プログラムの作成や接続検証に多大の工数や手間がかかる。
【０００７】
本発明は上記従来の問題点に鑑み、接続される機器の種類や組み合わせを考慮した制御プログラムを組み込む必要がなく、機器の組み合わせが変わった場合でも容易に対応できる音声出力システムの制御方法及びその方法を採用した音声出力システムを提供することを目的とする。
【課題を解決するための手段】
【０００８】
上記目的を達成するため、本発明の音声出力システムの制御方法は、映像及び音声を出力する視聴機器、外部スピーカから音声を出力する外部音声機器、並びに音声を再生する音声再生機器を備えた音声出力システムの制御方法であって、
（ａ）前記音声再生機器が、ユーザーの操作により開始される電源オンの処理に引き続き、前記視聴機器に対し、前記視聴機器の電源をオンにする電源オン要求信号を送信するステップと、
（ｂ）前記電源オン要求信号を受信した前記視聴機器が、前記電源オン要求信号に応じて前記視聴機器の電源をオンにする処理を実行し、その完了を前記音声再生機器に通知するステップと、
（ｃ）前記視聴装置の電源をオンにする処理の完了を通知された前記音声再生機器が、前記視聴機器に対し、前記音声再生機器に予め設定される音声出力モードに関する要求信号を送信するステップと、
（ｄ）前記視聴機器が、受信した前記要求信号に従って、前記外部音声機器に対し、当該外部音声機器に接続された外部スピーカから音声を出力できる状態にするか、もしくは前記外部スピーカを消音状態にするかを指示する指示信号を送信すると共に、前記視聴機器の内蔵スピーカの状態を前記外部スピーカの状態とは逆の状態に設定するステップ
を含むことを特徴とする。
【０００９】
本発明の制御方法において、前記音声再生機器は、音声出力モードに関する要求信号および電源オン要求信号を、前記外部音声機器に対して直接に送信することなく、前記視聴機器を介して送信する。
【００１０】
なお、本発明の制御方法において、前記音声再生機器がプレーヤである場合、前記音声出力モードに関する要求信号は、前記外部音声機器に接続された外部スピーカから音声を出力することを要求する信号であることが好ましい。一方、前記音声再生機器がレコーダである場合、前記音声出力モードに関する要求信号は、前記視聴機器の内蔵スピーカから音声を出力することを要求する信号であることが好ましい。
【００１１】
また本発明の制御方法において、前記視聴機器が、前記外部音声機器に対し、前記外部スピーカから音声を出力できる状態にすることを指示する指示信号を送信し、前記視聴機器は、前記外部音声機器から前記指示信号に対する応答信号が返信されなかった場合、前記視聴機器の内蔵スピーカより音声を出力することを特徴とすることが好ましい。ここで、前記工程（ａ）で前記音声再生機器の電源オンの処理を開始させるユーザーの操作が、前記外部音声機器のリモコンに設けた再生キー操作されることにより実行されるのも好ましい。
【００１２】
更に、前記音声再生機器は、前記視聴機器に対し、音声出力モードに関する要求信号を送信するのに先立ち、前記視聴機器の電源をオンにする指示信号を送信することが好ましい。同様に、前記視聴機器は、前記外部音声機器に対し、音声を出力できる状態にするか否かの指示信号を送信するのに先立ち、前記外部音声機器の電源をオンにする指示信号を送信することが好ましい。
【００１３】
また本発明の音声出力システムは、映像及び音声を出力する視聴機器、外部スピーカから音声を出力する外部音声機器、音声を再生する音声再生機器、並びに前記各機器間を接続する通信回線を備えた音声出力システムであって、
（ａ）前記視聴機器は、少なくとも
音声を出力する内蔵スピーカと、
前記通信回線を介して外部からの音声信号を受信する第１の受信部と、
前記第１の受信部で受信した音声信号に必要な処理を施す第１の音声処理部と、
前記第１の音声処理部の出力を入力として前記内蔵スピーカを駆動する第１のスピーカ駆動部と、
前記第１の受信部及び第１のスピーカ駆動部を制御する第１の制御部とを備え、
（ｂ）前記外部音声機器は、少なくとも
前記通信回線を介して外部からの音声信号を受信する第２の受信部と、
前記第２の受信部で受信した音声信号に必要な処理を施す第２の音声処理部と、
前記第２の音声処理部の出力を入力として、前記外部スピーカを駆動する第２のスピーカ駆動部と、
前記第２の受信部及び第２のスピーカ駆動部を制御する第２の制御部とを備え、
（ｃ）前記音声再生機器は、少なくとも
記録メディアから音声信号を再生して必要な処理を施す第３の音声処理部と、
前記第３の音声処理部から出力された音声信号を、前記通信回線を介して外部に送信する送信部と、
前記第３の音声処理部及び送信部を制御するとともに、当該音声再生機器がプレーヤである場合とレコーダである場合とにそれぞれ対応した音声出力モードが予め設定されている第３の制御部とを備え、
前記第３の制御部は、ユーザーの操作により開始される前記音声再生機器の電源をオンにする処理に引き続き、前記視聴機器の前記第１の制御部に対して前記視聴装置の電源をオンにする電源オン要求信号を送信し、前記視聴機器から前記電源オン要求信号に応じて電源をオンにする処理を完了したことに関する信号を受信した後、前記視聴機器の前記第１の制御部に対し、前記予め設定されている音声出力モードに関する要求信号を送信し、
前記第１の制御部は、前記第３の制御部から受信した前記電源オン要求信号に応じて前記視聴装置の電源をオンにした後、その完了を知らせる信号を前記第３の制御部に送信し、引き続き受信した前記音声出力モードに関する要求信号に従って前記第２の制御部に対し、前記外部スピーカから音声を出力できる状態にするか、もしくは前記外部スピーカを消音状態にするかを指示する指示信号を送信すると共に、前記視聴機器の内蔵スピーカの状態を前記外部スピーカの状態とは逆の状態に設定するように制御することを特徴とする。
【００１４】
本発明の音声出力システムにおいて、前記第３の制御部は、ユーザーによる前記音声再生機器の電源オンに引き続き、前記第１の制御部に対し、音声出力モードに関する要求信号を送信することが好ましい。
【００１５】
また本発明の音声出力システムにおいて、前記通信回線としてHigh Definition Multimedia Interface（ＨＤＭＩ）規格に準拠したケーブルを用いることが好ましく、また前記要求信号及び指示信号はConsumer Electronics Control（ＣＥＣ）規格に準拠した信号であることが好ましい。
【００１６】
次に本発明の視聴機器は、外部スピーカから音声を出力する外部音声機器、及び音声を再生する音声再生機器と共に音声出力システムを構成し、映像及び音声を出力する視聴機器であって、
（ａ）少なくとも
音声を出力する内蔵スピーカと、
通信回線を介して外部からの音声信号を受信する受信部と、
前記受信部で受信した音声信号に必要な処理を施す音声処理部と、
前記音声処理部の出力を入力として前記内蔵スピーカを駆動するスピーカ駆動部と、
前記受信部及びスピーカ駆動部を制御する制御部とを備え、
（ｂ）前記制御部は、前記音声再生機器から受信した、当該視聴機器の電源をオンにする電源オン要求信号に応じて当該視聴装置の電源をオンにする処理を実行した後、前記電源をオンにする処理を完了したことを前記音声再生機器に知らせる信号を送信し、引き続き前記音声再生機器から受信した音声出力モードに関する要求信号に従って前記外部音声機器に対し、前記外部スピーカから音声を出力できる状態にするか、もしくは前記外部スピーカを消音状態にするかを指示する指示信号を送信すると共に、前記内蔵スピーカの状態を前記外部スピーカの状態とは逆の状態に設定するように前記スピーカ駆動部を制御することを特徴とする。
【００１７】
ここで、外部音声機器は、映像及び音声を出力する視聴機器、並びに音声を再生する音声再生機器と共に音声出力システムを構成し、外部スピーカから音声を出力する外部音声機器であって、
（ａ）少なくとも
通信回線を介して外部からの音声信号を受信する受信部と、
前記受信部で受信した音声信号に必要な処理を施す音声処理部と、
前記音声処理部の出力を入力として、前記外部スピーカを駆動するスピーカ駆動部と、
前記受信部及びスピーカ駆動部を制御する制御部とを備え、
（ｂ）前記制御部は、前記視聴機器から送信された、前記外部スピーカから音声を出力できる状態にするか、もしくは前記外部スピーカを消音状態にするかを指示する指示信号を受信し、この指示信号に従って前記スピーカ駆動部を制御するように構成することができる。
【００１８】
更に、音声再生機器は、映像及び音声を出力する視聴機器、並びに外部スピーカから音声を出力する外部音声機器と共に音声出力システムを構成し、音声を再生する音声再生機器であって、
（ａ）少なくとも
前記記録メディアから音声信号を再生して必要な処理を施す音声処理部と、
前記音声処理部から出力された音声信号を、通信回線を介して外部に送信する送信部と、
前記音声処理部及び送信部を制御するとともに、当該音声再生機器がプレーヤである場合とレコーダである場合とにそれぞれ対応した音声出力モードが予め設定されている制御部とを備え、
（ｂ）前記制御部は、ユーザーの操作により開始される当該音声再生機器の電源をオンにする処理に引き続き、前記視聴機器に対し、前記視聴機器の電源オンにすることを指示する指示信号を送信し、前記視聴機器から前記指示信号に応じて前記電源をオンにする処理を完了したことを通知する信号を受信した後、前記視聴機器に対し、前記予め設定されている音声出力モードに関する要求信号を送信するように構成することができる。                 
【発明の効果】
【００１９】
本発明では、音声出力モードすなわち、ＴＶ等の視聴装置から音声を出すか、ＡＶアンプ等の外部音声機器から音声を出すかは、ＤＶＤプレーヤ、レコーダ等の音声再生機器からの要求によって決められ、視聴機器が、この要求に基づいて外部音声機器へ指示を行う。
【００２０】
このように、本発明では音声再生機器から視聴装置への要求、この要求に基づいた視聴機器から外部音声機器への指示という、単純化された一方向の制御シーケンスで音声出力モードの設定を実現しており、システムに接続されたそれぞれの機器が互いの組み合わせを認識することなく、簡単な制御プログラムによって実現できる。
【発明を実施するための最良の形態】
【００２１】
以下、本発明の実施の形態について、図面を参照しながら説明する。
（実施の形態１）
図１は、本発明の実施の形態１における音声出力システムの構成を示す図である。本実施の形態の音声出力システムは、ＴＶ１００、ＡＶアンプ２００、外部スピーカ３００及びＤＶＤプレーヤ４００で構成されている。ＴＶ１００は本発明における視聴機器の一例、ＡＶアンプ２００は外部音声機器の一例、またＤＶＤプレーヤ４００は音声再生機器の一例である。
【００２２】
ＴＶ１００とＡＶアンプ２００は、High Definition Multimedia Interface（ＨＤＭＩ）規格に準拠したケーブル（以下、ＨＤＭＩケーブルという））５００で接続されており、ＤＶＤプレーヤ４００により再生された映像信号及び音声信号は、ＡＶアンプ２００へ入力される。ＴＶ１００とＡＶアンプ２００もＨＤＭＩケーブルで接続されており、ＡＶアンプ２００から出力された映像信号及び音声信号はＴＶ１００へ入力される。また、ＴＶ１００、ＡＶアンプ２００及びＤＶＤプレーヤ４００は、ＨＤＭＩケーブルを介してＨＤＭＩのオプション規格であるConsumer Electronics Control（ＣＥＣ）に準拠したコマンドを、ＨＤＭＩケーブル５００を介して相互に送受することができる構成となっている。
【００２３】
なお、以降の説明において、ＴＶ１００の内蔵スピーカ１１０から音声が出力され、ＡＶアンプ２００に接続された外部スピーカ３００からの音声出力がミュートされている状態を「テレビモード」と定義する。それに対し、ＡＶアンプ２００に接続された外部スピーカ３００から音声が出力され、ＴＶ１００の内蔵スピーカ１１０からの音声出力がミュートされている状態を「シアターモード」と定義する。また、ミュートとは、スピーカからの音声の出力が阻止されるか、音量が低減されて消音状態になることを言う。
【００２４】
図２は、本実施の形態におけるＴＶ１００、ＡＶアンプ２００及びＤＶＤプレーヤ４００それぞれの内部構成を示したブロック図である。
【００２５】
前述したようにＴＶ１００、ＡＶアンプ２００及びＤＶＤプレーヤ４００は通信回線であるＨＤＭＩケーブル５００で接続されているが、ＨＤＭＩケーブル５００は、ＣＥＣ信号を通すＣＥＣライン５０１と映像・音声信号を通す映像・音声ラインに分割されている。ＣＥＣライン５０１は、ＴＶ１００、ＡＶアンプ２００及びＤＶＤプレーヤ４００の各制御部１０５、２０３、４０３間でＣＥＣ信号を相互に送受できるように構成されているが、映像・音声ライン５０２は各機器内に配置されたＨＤＭＩ受信部及びＨＤＭＩ送信部を介して映像・音声信号の送受が行われる。これは、著作権保護の観点から、ＨＤＭＩケーブル上にスクランブルが解かれた映像信号や音声信号が存在しないようにするためである。
【００２６】
ＴＶ１００は、映像表示部１０１、スピーカ駆動部１０２、映像デコーダ１０３、音声デコーダ１０４、マイクロコンピュータ（以下、マイコンという）で構成された制御部１０５、ＨＤＭＩ受信部１０６、ＨＤＭＩコネクタ１０７及び内臓スピーカ１１０で構成されている。これ以外の構成要素として、放送信号を受信するチューナやリモコン受信部があるが、本発明とは直接関係しないため省略してある。
【００２７】
制御部１０５は、リモコン等を介してコマンドを受信すると、受信したコマンドに応じた処理を行う。例えば、制御部１０５は、ＨＤＭＩコネクタから入力した映像信号及び音声信号を、ＨＤＭＩ受信部１０６において暗号鍵を用いてスクランブルを解除した後、映像デコーダ１０３及び音声デコーダ１０４へ転送する。映像デコーダ１０３は、スクランブルを解除した映像信号をデコードした後、映像表示部１０１に出力する。同様に、音声デコーダ１０４は、スクランブルを解除した音声信号をデコードした後、スピーカ駆動部１０２に出力し、内蔵スピーカ１１０から音声を出力する。
【００２８】
ＡＶアンプ２００は、スピーカ駆動部２０１、音声デコーダ２０２、マイコンで構成された制御部２０３、ＨＤＭＩ受信部２０４、ＨＤＭＩ送信部２０５及びＨＤＭＩコネクタ２０６、２０７で構成されている。
【００２９】
制御部２０３は、ＨＤＭＩコネクタ２０６、２０７を介して受信したＣＥＣ信号に応じた処理を行なう。例えば、制御部２０３は、ＨＤＭＩ受信部２０４で受信した音声信号を音声デコーダ２０２に転送したり、ＨＤＭＩ受信部２０４の受信信号をＨＤＭＩ送信部２０５から再度ＨＤＭＩケーブルに出力したりする。音声デコーダ２０２でデコードされた音声信号はスピーカ駆動部２０１を介して外部スピーカ３００に送られ、音声として出力される。
【００３０】
ＨＤＭＩ受信部２０４は、ＨＤＭＩケーブル５００の映像・音声ライン５０１を介して他の機器から送られてきた音声信号を、暗号鍵を用いてでスクランブルを解除する。一方、ＨＤＭＩ送信部２０５は、ＨＤＭＩ受信部２０４でスクランブルが解除された音声信号を再度暗号鍵によってスクランブルした後、ＨＤＭＩケーブル５００の映像・音声ライン５０２に送り出す。
【００３１】
ＤＶＤプレーヤ４００は、光ディスク制御部４０２、マイコンで構成された制御部４０３、映像・音声処理部４０４、ＨＤＭＩ送信部４０５及びＨＤＭＩコネクタ４０６で構成されている。光ディスク制御部４０２は、映像信号及び音声信号が圧縮された状態で記録された光ディスク４０１から映像信号及び音声信号を読み出す。光ディスク制御部４０２で読み出された映像信号及び音声信号は映像・音声処理部４０４で必要な処理が施された後、ＨＤＭＩ送信部４０５に入力する。ＨＤＭＩ送信部４０５は、映像信号及び音声信号を暗号鍵によってスクランブルをかけた後、ＨＤＭＩケーブル５００の映像・音声ライン５０２に送り出す。
【００３２】
なお、各機器の制御部１０５、２０３、４０３は、スピーカ１０２、３００から音声を出力していない状態や、光ディスク４０１から映像・音声信号を再生していない状態、いわゆるスリープ状態においてもＣＥＣ信号が受信できるよう、常に電力が供給されている。スピーカ１１０、３００から音声を出力する場合や光ディスク４０１から映像・音声信号を再生する場合には、スピーカ駆動部１０２・２０１、映像・音声処理部４０４等に必要な電力が供給される。以下の説明においては、スピーカから音声を出力するためにスピーカ駆動部等に必要な電力を供給した状態を電源オン、スリープ状態を電源オフとする。
【００３３】
次に、上述した本実施の形態の音声出力システムの動作について説明する。図３は、図１のシステム構成における機器間の制御シーケンスを示した図である。
まず、ユ−ザーがＤＶＤプレーヤ４００の電源をオンにする（ステップＳ８０１）。するとＤＶＤプレーヤ４００の制御部４０３がＣＥＣライン５０１を介してＴＶ１００へ電源オン要求のＣＥＣ信号を送る（Ｓ８０２）。ＴＶ１００は、制御部１０５が受信したＣＥＣ信号に基づいて自らの電源をオンにし、その後、電源オン完了のＣＥＣ信号をＤＶＤプレーヤ４００に返す（Ｓ８０３）。
【００３４】
次にＤＶＤプレーヤ４００の制御部４０３は、初期設定でシアターモードに設定、すなわち外部ＡＶアンプ２００に接続された外部スピーカ３００から音声を出力するモードに設定されているため、外部スピーカ３００から音声を出力することを要求するＣＥＣ信号を、ＴＶ１００に対して送信する（Ｓ８０４）。
【００３５】
ＴＶ１００の制御部１０５は、この要求信号を受けると、ＡＶアンプ２００の制御部２０３に対し、外部スピーカ３００から音声を出力することを指示するＣＥＣ信号を送信する（Ｓ８０５）。ＡＶアンプ２００の制御部２０３は、ＴＶ１００と同様の方法で電源をオンにした後、外部スピーカ３００から音声を出力する準備が完了したことを報告するＣＥＣ信号をＴＶ１００の制御部１０５に返信する（Ｓ８０７）。
【００３６】
ＴＶ１００は、音声出力の準備が完了したことを報告する返信があると、制御部１０５がミュート制御信号１００ａをスピーカ駆動部１０２に送って内蔵スピーカ１１０の音声出力をミュートする（Ｓ８０８）。外部スピーカからの音声出力準備完了の返信がなければ、自身のミュート制御を行わない。
【００３７】
以上説明したように、本実施の形態の制御方法では、ＤＶＤプレーヤ４００はＴＶ１００に対して音声出力モードに関する要求信号を送信するだけ、またＴＶ１００はＡＶアンプ２００に対して外部スピーカ３００からの音声出力を指示する指示信号を送信するだけで制御シーケンスを進めることができるため、各制御部の制御プログラムが簡単になる。特にＤＶＤプレーヤ４００がＡＶアンプ２００に対して直接指示を出さないシーケンスであるため、ＴＶ内蔵スピーカ１１０と外部スピーカ３００の両方から音声が出るようなことはなく、逆にＴＶ１００と外部スピーカ３００のいずれからも音声が出ないなどの不具合も発生することがない。
【００３８】
なお、音声出力システムにＡＶアンプ２００が接続されていない場合、ＤＶＤプレーヤ４００の制御部４０３からの要求信号を受けて、ＴＶ１００の制御部１０５が、ＡＶアンプ２００の制御部２０３に対し、外部スピーカ３００から音声を出力することを指示するＣＥＣ信号を送信しても、ＡＶアンプ２００からは、外部スピーカ３００から音声を出力する準備が完了したことを報告するＣＥＣ信号が送られてこない。この場合、ＴＶ１００の制御部１０５は外部アンプ２００が接続されていないと判断し、ミュート制御信号１００ａをスピーカ駆動部１０２に送ることを止める。従って、内蔵スピーカ１１０から音声が出力される。
（実施の形態２）
【００３９】
図４は本実施の形態における音声出力システムの構成を示したものであるが、本実施の形態では、図１及び図２で説明した実施の形態１のシステム構成において、ＤＶＤプレーヤ４００の代わりにレコーダ６００が接続されている。
【００４０】
なお、ＤＶＤレコーダ６００は映像・音声信号を光ディスク等の記録メディアに記録できる点でＤＶＤプレーヤ４００と相違しているが、映像・音声信号を記録メディアに記録する点は本発明と関係しないため、以下の説明では、ＤＶＤプレーヤ４００の制御部４０３をプレーヤ６００の制御部６０３（図示せず）に置き換えて行う。
【００４１】
図５は、図４のシステム構成における制御シーケンスを示した図である。以下、図２、図４及び図５を用いて動作を説明する。
まず、ユ−ザーがレコーダ６００の電源をオンする（Ｓ８１１）。するとレコーダ６００の制御部６０３がＣＥＣライン５０１を介してＴＶ１００の制御部１０５へ電源オン要求のＣＥＣ信号を送る（Ｓ８１２）。ＴＶ１００は、制御部１０５が受信したＣＥＣ信号に基づいて自らの電源をオンにし、その後、電源オン完了のＣＥＣ信号をレコーダ６００の制御部６０３に返す（Ｓ８１３）。
【００４２】
レコーダ６００は、初期設定でテレビモードに設定、すなわちＴＶ内蔵スピーカ１１０から音声を出力するモードに設定されているため、制御部６０３は、ＴＶ内蔵スピーカ１１０から音声を出力することを要求するＣＥＣ信号を、ＴＶ１００の制御部１０５に対して送信する（Ｓ８１４）。
【００４３】
ＴＶ１００の制御部１０５は、この要求信号を受けると、ＡＶアンプ２００の制御部２０３に対し、ＴＶ内蔵スピーカ１１０から音声を出力し外部スピーカ３００から音声を出力しないことを指示するＣＥＣ信号を送信する（Ｓ８１５）。ＡＶアンプ２００の制御部２０３はこの指示に従い、電源がオフならそのままとし、電源がオンになっていればスピーカ駆動部２０１にミュート制御信号２００ａを送って外部スピーカ３００の音声をミュートした後（Ｓ８１６）、外部スピーカ３００から音声を出力しないことについて準備が完了したことを報告するＣＥＣ信号をＴＶ１００の制御部１０５に返信する（Ｓ８１７）。
【００４４】
以上の制御シーケンスとすることで、実施の形態１と同様，音声出力モードの設定を簡単に行うことができ、各制御部の制御プログラムも簡単になる。
（実施の形態３）
【００４５】
本実施の形態では、ＡＶアンプ２００の付属のリモコン（図示せず）に専用キーを設け、このキー（以後、ワンタッチ再生キーと呼ぶ）を押すと、ＴＶ１００、ＡＶアンプ２００、ＤＶＤプレーヤ４００のすべてが電源をオンにし、再生を始める仕様とする。なお、音声出力システムの構成は、ＡＶアンプ２００の付属のリモコンに専用キーを設けた点を除き、図１及び図２の構成と変わらない。
【００４６】
図６は、本実施の形態のシステム構成において、ワンタッチ再生ボタンを押した時の制御シーケンスを示した図である。以下、図１、２及び図６を用いて動作を説明する。
まず、付属のリモコン上のワンタッチ再生キーを押すと、専用のリモコンコードが発信され、ワンタッチ再生要求信号をＡＶアンプ２００ではなく、ＤＶＤプレーヤ４００の制御部４０３が受信する（Ｓ８２１）。ここで、ＡＶアンプ２００のリモコンに設けたキー操作にもかかわらず、ＤＶＤプレーヤ４００側が制御コマンドを受信するのは、前述した実施の形態１の制御シーケンスに一致させるためであり、実施の形態１と同様、ＤＶＤプレーヤ４００の電源オンから動作が開始されることになる。
【００４７】
ＤＶＤプレーヤ４００の制御部４０３は、ワンタッチ再生要求信号を受信すると、ＤＶＤプレーヤ４００の電源をオンにし（Ｓ８２２）、ＴＶ１００の制御部１０５に対し電源オンを要求するＣＥＣ信号を送信する（ステップ８２３）。ＴＶ１００の制御部１０５は、ＴＶ１００の電源をオンにしてから電源オン完了のＣＥＣ信号をＤＶＤプレーヤ４００の制御部４０３に返す（Ｓ８２４）。
【００４８】
次にＤＶＤプレーヤ４００の制御部４０３は、音声出力モードをシアターモードに設定する要求、すなわち外部スピーカ３００から音声を出力する要求信号をＴＶ１００の制御部１０５に対して送信する（Ｓ８２５）。
【００４９】
ＴＶ１００の制御部１０５は、この要求信号に従い、ＡＶアンプ２００の制御部２０３に対し外部スピーカ３００から音声を出力する指示信号を送信する（Ｓ８２６）。指示信号を受信したＡＶアンプ２００の制御部２０３は、まず電源をオンにし（Ｓ８２７）、次に、外部スピーカ３００から音声を出力する準備が完了したことの返信をＴＶ１００の制御部１０５に対して送信する（Ｓ８２８）。
【００５０】
ＴＶ１００の制御部１０５は、外部スピーカからの音声出力準備完了の返信があれば、スピーカ駆動部１０２にミュート制御信号１００ａを送って内蔵スピーカ１１０の音声をミュートする（Ｓ８２９）。一方、外部スピーカからの音声出力準備完了の返信がなければ、スピーカ駆動部１０２へのミュート制御信号１００ａを送らない。
【００５１】
以上の制御シーケンスとすることで、ワンタッチ再生キーを押すことにより、スリープ状態にある全ての機器の電源をオンにすることと併せて、音声出力モードの設定を行うことができる。
（実施の形態４）
【００５２】
実施の形態３ではＤＶＤプレーヤ４００がワンタッチ再生要求信号を受信したが、本実施の形態では、実施の形態２と同様、システムにレコーダ６００が接続され、レコーダ６００がワンタッチ再生信号を受信する場合について説明する。なお、実施の形態２と同様、以下の説明では、ＤＶＤプレーヤ４００の制御部４０３をプレーヤ６００の制御部６０３に置き換えて行う。
【００５３】
図７は、本実施の形態のシステム構成において、ワンタッチ再生ボタンを押した時の制御シーケンスを示した図である。以下、図１、２及び図７を用いて動作を説明する。
レコーダ６００の制御部６０３は、ワンタッチ再生要求信号を受信すると（Ｓ８４１）、レコーダ６００の電源をオンにし（Ｓ８４２）、ＴＶ１００の制御部１０５に対し、電源オンを要求するＣＥＣ信号を送信する。（Ｓ８４３）。ＴＶ１００の制御部１０５は、ＴＶ１００の電源をオンにしてから電源オン完了のＣＥＣ信号をレコーダ６００の制御部６０３に返信する（Ｓ８４４）。
【００５４】
次にレコーダ６００の制御部６０３は、音声出力モードをテレビモードに設定する要求、すなわちＴＶ１００の内蔵スピーカ１１０から音声を出力する要求信号をＴＶ１００の制御部１０５に対して送信する（Ｓ８４５）。
【００５５】
ＴＶ１００の制御部１０５は、この要求信号に従い、ＡＶアンプ２００の制御部２０３に対し、ＴＶ内蔵スピーカ１１０から音声を出力し外部スピーカ３００から音声を出力しないことを指示するＣＥＣ信号を送信する（Ｓ８４６）。ＡＶアンプ２００の制御部２０３は、この支持信号に従い、電源がオフならそのままとし、電源がオンになっていればスピーカ駆動部２０１にミュート制御信号２００ａを送って外部スピーカ３００の音声をミュートした後（Ｓ８４７）、外部スピーカ３００から音声を出力しないことについて準備が完了したことを報告するＣＥＣ信号をＴＶ１００の制御部１０５に返信する（Ｓ８４８）。
【００５６】
以上の制御シーケンスとすることで、実施の形態３と同様、ワンタッチ再生キーを押すことにより、スリープ状態にある全ての機器の電源をオンにすることと併せて、音声出力モードの設定を行うことができる。
【００５７】
以上説明したように本発明の各実施の形態においては、非常に単純なシーケンスによって音声出力モードの制御が行われる。すなわち、本発明の制御方法により、
１．ＴＶ、ＡＶアンプ及びＤＶＤプレーヤを接続している場合に電源を入れると、シアターモードになって電源がオンされる、
２．ＴＶ、ＡＶアンプ及びレコーダを接続している場合に電源を入れると、テレビモードになって電源がオンされる、
３．ＴＶとレコーダもしくはＤＶＤプレーヤを接続している場合に電源を入れると、テレビモードになって電源がオンされる、
という仕様が、それぞれの機器が互いの組み合わせを認識することなく、簡単なプログラムによって実現できる。
【００５８】
なお、上記各実施の形態においては、音声出力システムにＤＶＤプレーヤとレコーダが接続された場合について説明したが、本発明はこれに限定されるものではなく、ＳＴＢや他の映像・音声再生機器が接続された場合でも、同様の効果が得られることは、云うまでもない。
【産業上の利用可能性】
【００５９】
本発明の音声出力システムの制御方法は、音声再生機器から視聴機器に音声出力モードに関する要求を行い、視聴機器はこの要求に従って外部音声機器に指示を行うという非常に単純なシーケンスによって音声出力モードの設定ができるため、様々な機器が接続された音声出力システムに広く適用できるものである。
【図面の簡単な説明】
【００６０】
【図１】本発明の実施の形態１における音声出力システムの構成図
【図２】本発明の実施の形態１におけるテレビ、ＡＶアンプ及びＤＶＤプレーヤ          の内部構成を示すブロック図
【図３】図１のシステム構成における制御シーケンスを示した図
【図４】図１の構成のＤＶＤプレーヤをレコーダに置き換えた場合のシステム構成図
【図５】図４のシステム構成における制御シーケンスを示した図
【図６】図１のシステム構成においてワンタッチ再生ボタンを押した時の制御シーケンスを示した図
【図７】図４のシステム構成においてワンタッチ再生ボタンを押した時の制御シーケンスを示した図
【符号の説明】
【００６１】
１００  ＴＶ
１０１  映像表示部
１０２  スピーカ駆動部
１０３  映像デコーダ
１０４  音声デコーダ
１０５  制御部
１０６  ＨＤＭＩ受信部
１１０  内臓スピーカ
２００  ＡＶアンプ
２０１  スピーカ駆動部
２０２  音声デコーダ
２０３  制御部
２０４  ＨＤＭＩ受信部
２０５  ＨＤＭＩ送信部
３００  外部スピーカ
４００  ＤＶＤプレーヤ
４０２  光ディスク制御部
４０３  制御部
４０４  映像・音声処理部
４０５  ＨＤＭＩ送信部
５００  ＨＤＭＩケーブル
５０１  ＣＥＣ信号ライン
５０２  映像・音声信号ライン
６００  レコーダ
【図１】
0004794983.tif 000002
【図２】
0004794983.tif 000003
【図３】
0004794983.tif 000004
【図４】
0004794983.tif 000005
【図５】
0004794983.tif 000006
【図６】
0004794983.tif 000007
【図７】
0004794983.tif 000008